【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
複数の発光装置が配置された配置面を有する光源と、
前記光源から射出される光を、画像情報に応じて変調させる矩形の表示領域を有する光変調装置と、
を有し、
複数の前記発光装置のうち、第１発光装置、第２発光装置、第３発光装置、および第４発光装置は、複数の前記発光装置のうち第５発光装置が配置された配置領域を区画し、
前記配置領域は、前記配置面の法線方向から見た平面視において、
前記第１発光装置の中心と前記第２発光装置の中心とを結ぶ第１辺と、
前記第２発光装置の中心と前記第３発光装置の中心とを結ぶ第２辺と、
前記第３発光装置の中心と前記第４発光装置の中心とを結ぶ第３辺と、
前記第４発光装置の中心と前記第１発光装置の中心とを結ぶ第４辺と、
で区画される矩形の領域であり、
前記第５発光装置は、複数配置され、
複数の前記第５発光装置のうち、前記第１辺の中点の最も近くに配置された第６発光装置から射出される光の強度は、前記第１発光装置から射出される光の強度、および前記第２発光装置から射出される光の強度よりも小さく、
複数の前記第５発光装置のうち、前記第１発光装置の中心から前記第１辺の中点へ向かう第１方向に並ぶ前記第５発光装置は、前記第１発光装置と前記第６発光装置との間において、前記第１方向に向かうに従って、射出される光の強度が小さくなり、
複数の前記第５発光装置のうち、前記第２発光装置の中心から前記第１辺の中点へ向かう第２方向に並ぶ前記第５発光装置は、前記第２発光装置と前記第６発光装置との間において、前記第２方向に向かうに従って、射出される光の強度が小さくなる、プロジェクター。
【請求項２】
請求項１において、
複数の前記第５発光装置のうち、前記配置領域の中心の最も近くに配置された第７発光装置から射出される光の強度は、前記第６発光装置から射出される光の強度よりも大きく、
複数の前記第５発光装置のうち、前記第１辺の中点から前記配置領域の中心に向かう第
３方向に並ぶ前記第５発光装置は、前記第６発光装置と前記第７発光装置との間において、前記第３方向に向かうに従って、射出される光の強度が大きくなる、プロジェクター。
【請求項３】
請求項２において、
前記第７発光装置から射出される光の強度は、前記第１発光装置から射出される光の強度、および前記第２発光装置から射出される光の強度よりも小さい、プロジェクター。
【請求項４】
請求項１ないし３のいずれか１項において、
前記発光装置は、１つの発光素子を有する、プロジェクター。
【請求項５】
請求項４において、
前記表示領域における光の形状は、複数の発光素子が矩形の配置領域に配置された光源において、全ての発光素子から射出される光の強度が同じ場合に比べて、矩形に近い、プロジェクター。
【請求項６】
請求項４において、
前記光源から射出される光を前記表示領域に導く導光体を有し、
前記導光体の入射面における光の形状は、複数の発光素子が矩形の配置領域に配置された光源において、全ての発光素子から射出される光の強度が同じ場合に比べて、矩形に近い、プロジェクター。
【請求項７】
請求項１ないし３のいずれか１項において、
前記発光装置は、１つ以上の発光素子を有し、
前記第６発光装置が有する前記発光素子の数は、前記第１発光装置が有する前記発光素子の数、および前記第２発光装置が有する前記発光素子の数よりも少なく、
前記第１発光装置が有する前記発光素子から射出される光の強度、前記第２発光装置が有する前記発光素子から射出される光の強度、および前記第６発光装置が有する前記発光素子から射出される光の強度は、同じである、プロジェクター。
【請求項８】
請求項１ないし７のいずれか１項において、
複数の前記第５発光装置のうち、前記第２辺の中点の最も近くに配置された第８発光装置から射出される光の強度は、前記第２発光装置から射出される光の強度、および前記第３発光装置から射出される光の強度よりも小さく、
複数の前記第５発光装置のうち、前記第２発光装置の中心から前記第２辺の中点へ向かう第３方向に並ぶ前記第５発光装置は、前記第２発光装置と前記第８発光装置との間において、前記第３方向に向かうに従って、射出される光の強度が小さくなり、
複数の前記第５発光装置のうち、前記第３発光装置の中心から前記第２辺の中点へ向かう第４方向に並ぶ前記第５発光装置は、前記第３発光装置と前記第８発光装置との間において、前記第４方向に向かうに従って、射出される光の強度が小さくなる、プロジェクター。
【請求項９】
請求項８において、
複数の前記第５発光装置のうち、前記第３辺の中点の最も近くに配置された第９発光装置から射出される光の強度は、前記第３発光装置から射出される光の強度、および前記第４発光装置から射出される光の強度よりも小さく、
複数の前記第５発光装置のうち、前記第３発光装置の中心から前記第３辺の中点へ向かう前記第２方向に並ぶ前記第５発光装置は、前記第３発光装置と前記第９発光装置との間において、前記第２方向に向かうに従って、射出される光の強度が小さくなり、
複数の前記第５発光装置のうち、前記第４発光装置の中心から前記第３辺の中点へ向かう前記第１方向に並ぶ前記第５発光装置は、前記第４発光装置と前記第９発光装置との間
において、前記第１方向に向かうに従って、射出される光の強度が小さくなる、プロジェクター。
【請求項１０】
請求項９において、
複数の前記第５発光装置のうち、前記第４辺の中点の最も近くに配置された第１０発光装置から射出される光の強度は、前記第４発光装置から射出される光の強度、および前記第１発光装置から射出される光の強度よりも小さく、
複数の前記第５発光装置のうち、前記第４発光装置の中心から前記第４辺の中点へ向かう前記第４方向に並ぶ前記第５発光装置は、前記第４発光装置と前記第１０発光装置との間において、前記第４方向に向かうに従って、射出される光の強度が小さくなり、
複数の前記第５発光装置のうち、前記第１発光装置の中心から前記第４辺の中点へ向かう前記第３方向に並ぶ前記第５発光装置は、前記第１発光装置と前記第１０発光装置との間において、前記第３方向に向かうに従って、射出される光の強度が小さくなる、プロジェクター。
【請求項１１】
請求項１ないし１０のいずれか１項において、
前記複数の発光装置の各々から射出される光の強度は、前記複数の発光装置の各々に注入される電流量を変えることにより制御される、プロジェクター。
【手続補正２】
【補正対象書類名】明細書
【補正対象項目名】００９４
【補正方法】変更
【補正の内容】
【００９４】
例えば、第１発光装置１３ａは、４つの発光素子１４ａを有している。この場合、第１発光装置１３ａの中心Ｃ１は、４つの第１発光素子１４ａの中心を内部に含む最小の円（最小包含円）の中心である。４つの第１発光素子１４ａは、中心Ｃ１を含む所定面積領域１１ｂに配置されている。第２発光装置１３ｂは、４つの第２発光素子１４ｂを有している。この場合、第２発光装置１３ｂの中心Ｃ２は、４つの第２発光素子１４ｂの中心を内部に含む最小の円（最小包含円）の中心である。４つの第２発光素子１４ｂは、中心Ｃ２を含む所定面積領域１１ｂに配置されている。第６発光装置１３ｆは、中点Ｍ１を含む所定面積領域１１ｂに配置された１つの発光素子１４ｆを有している。